(57)【要約】【課題】送信先装置の設定（自動縮小の有無）や性能にかかわらず、送信原稿サイズを適切なサイズに設定できるファクシミリ装置を提供する。【解決手段】送信サイズとユーザ入力で指示された原稿分割態様と原稿走査又はユーザ入力で指示された原稿サイズとを記憶部１１から取得する機能、取得した原稿分割態様が非分割でない場合に該分割態様と原稿サイズとに基づいて分割後の原稿サイズを求める機能、求めた分割原稿サイズと取得した送信サイズとに基づいて分割原稿の拡大倍率を求める機能、及び、求めた拡大倍率で拡大したサイズの送信データを各分割原稿についてそれぞれ生成する機能を備えた変換部２２、を有するファクシミリ装置。【選択図】図１
2007267306.tif 000002
【特許請求の範囲】
【請求項１】
原稿の画像データから送信データを生成して通信回線を介して相手先装置へ送信するファクシミリ装置であって、
入力装置からのユーザ入力で指示された原稿分割態様と、原稿走査又は入力装置からのユーザ入力で指示された原稿サイズと、送信サイズと、を取得する設定取得部と、
前記設定取得部が取得した原稿分割態様が非分割でない場合には該分割態様と原稿サイズとに基づいて、分割後の原稿サイズを求める分割サイズ演算部と、
前記分割サイズ演算部が求めた分割原稿サイズと、前記設定取得部が取得した送信サイズとに基づいて、分割原稿の拡大倍率を求める倍率演算部と、
前記倍率演算部が求めた拡大倍率で拡大したサイズの送信データを各分割原稿についてそれぞれ生成する送信データ生成手段と、
を有することを特徴とするファクシミリ装置。
【請求項２】
請求項１において、前記原稿分割態様は、非分割、２分割、又は、４分割の何れかであることを特徴とするファクシミリ装置。
【請求項３】
請求項１において前記設定取得部が取得する送信サイズは所定の定型サイズであることを特徴とするファクシミリ装置。
【請求項４】
請求項３において、前記所定の定型サイズはＡ４サイズであることを特徴とするファクシミリ装置。
【請求項５】
請求項１において、前記設定取得部が取得する送信サイズは入力装置からのユーザ入力で指示されたサイズであることを特徴とするファクシミリ装置。
【請求項６】
請求項１において、分割原稿サイズと送信サイズと拡大倍率とを対応付けて保持する倍率テーブルを更に有し、前記倍率演算部は、当該の分割原稿サイズと当該の送信サイズとに対応付けられている拡大倍率を前記倍率テーブルから求めることを特徴とするファクシミリ装置。
【請求項７】
請求項１において、前記倍率演算部は、当該の送信サイズを当該の分割原稿サイズで除算することにより拡大倍率を求めることを特徴とするファクシミリ装置。
【請求項８】
原稿の画像データから送信データを生成して通信回線を介して相手先装置へ送信するファクシミリ送信方法であって、
入力装置からのユーザ入力で指示された原稿分割態様と、原稿走査又は入力装置からのユーザ入力で指示された原稿サイズと、送信サイズと、を取得し、
前記取得した原稿分割態様が非分割でない場合には、当該分割態様と原稿サイズとに基づいて分割後の分割原稿サイズを求め、
前記分割後の分割原稿サイズと、前記取得した送信サイズとに基づいて、分割原稿の拡大倍率を求め、
前記拡大倍率で拡大したサイズの送信データを各分割原稿についてそれぞれ生成して送信する、
ことを特徴とするファクシミリ送信方法。
【請求項９】
原稿の画像データから送信データを生成して通信回線を介して相手先装置へ送信するファクシミリ送信をコンピュータで実現するためのプログラムであって、
入力装置からのユーザ入力で指示された原稿分割態様と、原稿走査又は入力装置からのユーザ入力で指示された原稿サイズと、送信サイズと、を取得するステップと、
前記取得した原稿分割態様が非分割でない場合には、当該分割態様と原稿サイズとに基づいて分割後の分割原稿サイズを求めるステップと、
前記分割後の分割原稿サイズと、前記取得した送信サイズとに基づいて、分割原稿の拡大倍率を求めるステップと、
前記拡大倍率で拡大したサイズの送信データを各分割原稿についてそれぞれ生成して送信するステップと、
を有することを特徴とするファクシミリ送信用プログラム。
【発明の詳細な説明】
【技術分野】
【０００１】
本発明は、原稿の画像データから送信データを生成して、通信回線を介して相手先装置へ送信するファクシミリ機能を備えた装置およびファクシミリ送信方法に関する。
【背景技術】
【０００２】
出力用紙の最大サイズがＡ４であるファクシミリ装置（以下、「簡易型ファクシミリ装置」という）が提供されている。このような装置では、Ａ４を越えるサイズ（例：Ａ３）の画像が受信された場合、受信画像をＡ４又はＡ４以下のサイズに縮小して出力することで、画像欠損を防止している。
【０００３】
記録用紙の枚数を低減したい等の理由から、原稿２枚を原稿と同サイズの１枚の用紙に並べて複写（２イン１）したり、原稿４枚を原稿と同サイズの１枚の用紙に配置して複写（４イン１）したりすることが行なわれている。以下、このように複写された画像を「Ｎイン１複写画像」という。
【０００４】
特開２００２−２２３３５４号公報（特許文献１）には、送信原稿が「Ｎイン１複写画像」であり、且つ、送信先装置の解像度が低い場合、送信先装置にて出力される画像が判読困難にならないように、送信原稿をＮ個に分割し且つ各分割原稿の縦横をそれぞれＮ／２倍に拡大して送信するファクシミリ機能が記載されている。
【０００５】
【特許文献１】特開２００２−２２３３５４号公報
【発明の開示】
【発明が解決しようとする課題】
【０００６】
特許文献１の装置では、Ａ３サイズの送信原稿を解像度が高い簡易型ファクシミリ装置へ送信すると、送信先の簡易型ファクシミリ装置では、Ａ３サイズがＡ４サイズに自動的に縮小されて出力される。その結果、判読困難となる場合も生じ得る。
【０００７】
また、送信先装置の解像度が高い場合であっても、受信相手が老人等のように細かい文字の判読が苦手な場合もあるため、送信先装置の性能にかかわらず、Ｎイン１複写された原稿を拡大して送信したいという場合もある。
【０００８】
本発明の目的は、送信先装置の設定（自動縮小の有無）や性能にかかわらず、送信側で送信原稿サイズを適切なサイズに設定できるファクシミリ装置およびファクシミリ送信方法を提供することにある。
【課題を解決するための手段】
【０００９】
［１］構成１：
本発明によるファクシミリ装置は、原稿の画像データから送信データを生成して通信回線を介して相手先装置へ送信するファクシミリ装置であって、入力装置からのユーザ入力で指示された原稿分割態様と、原稿走査又は入力装置からのユーザ入力で指示された原稿サイズと、送信サイズと、を取得する設定取得部と、前記設定取得部が取得した原稿分割態様が非分割でない場合には該分割態様と原稿サイズとに基づいて、分割後の原稿サイズを求める分割サイズ演算部と、前記分割サイズ演算部が求めた分割原稿サイズと、前記設定取得部が取得した送信サイズとに基づいて、分割原稿の拡大倍率を求める倍率演算部と、前記倍率演算部が求めた拡大倍率で拡大したサイズの送信データを各分割原稿についてそれぞれ生成する送信データ生成手段と、を有することを特徴とする。
【００１０】
原稿分割態様は、例えば、非分割、２分割、４分割、８分割等であり、ユーザ入力によって指示される。なお、指示が無い場合は非分割として処理される。分割が指示された場合の送信サイズは、所定の定型サイズ（例：Ａ４（後述の構成４の場合），Ｂ５，等）を一意に採用する構成でもよく、後述の構成５のようにユーザ入力による指定サイズを採用する構成でもよい。
【００１１】
設定取得部は、ユーザ入力値を保持するメモリ領域から、原稿分割態様を取得する。また、ユーザ入力値を保持するメモリ領域又は所定値（定型サイズ）を保持しているメモリ等領域から、送信サイズを取得する。分割サイズ演算部は、例えば、原稿分割態様と原稿サイズと分割原稿サイズとを対応付けて保持している分割テーブルから、分割原稿サイズを求めることができる。倍率演算部の処理としては、後述の構成６又は７の処理を挙げることができる。
【００１２】
［２］構成２：
構成１に於いて、前記原稿分割態様は、非分割、２分割、又は、４分割の何れかであることを特徴とする。
【００１３】
［３］構成３：
構成１に於いて、前記設定取得部が取得する送信サイズは所定の定型サイズであることを特徴とする。所定の定型サイズとしては、例えば、Ａ４、Ｂ５、Ｂ４、Ａ３等の中の何れか一つを挙げることができる。
【００１４】
［４］構成４：
構成３に於いて、前記所定の定型サイズはＡ４サイズであることを特徴とする。
【００１５】
［５］構成５：
構成１に於いて、前記設定取得部が取得する送信サイズは入力装置からのユーザ入力で指示されたサイズであることを特徴とする。
【００１６】
［６］構成６：
構成１に於いて、分割原稿サイズと送信サイズと拡大倍率とを対応付けて保持する倍率テーブルを更に有し、前記倍率演算部は、当該の分割原稿サイズと当該の送信サイズとに対応付けられている拡大倍率を前記倍率テーブルから求めることを特徴とする。
【００１７】
［７］構成７：
構成１に於いて、前記倍率演算部は、当該の送信サイズを当該の分割原稿サイズで除算することにより拡大倍率を求めることを特徴とする。
【発明の効果】
【００１８】
本発明による構成１のファクシミリ装置では、ユーザ入力により分割が指示された場合、所定のサイズ又はユーザ指定のサイズの送信データを生成する際に、当該送信サイズに適合する画像拡大が必要に応じて且つ送信先装置と無関係に行なわれる。このため、送信先装置では当該送信サイズの画像が受信され、その結果、出力される画像が判読困難となる恐れが十分に低減される。
【００１９】
構成２のファクシミリ装置は、構成１に於いて、原稿分割態様が、非分割、２分割、４分割の何れかであるため、使用頻度の高い２イン１複写された原稿や４イン１複写された原稿の送信時に利用価値が高い。
【００２０】
構成３のファクシミリ装置は、構成１に於いて、設定取得部が取得する送信サイズが所定の定型サイズであるため、例えば、Ａ４サイズのみ出力可能でありＡ４を越える画像は縮小して出力する簡易型ファクシミリ装置の存在に鑑み、構成４のように定型サイズとしてＡ４を採用することにより、送信先装置が簡易型ファクシミリ装置の場合でも画像が意に反して縮小されないようにでき、判読困難となる恐れを十分に低減できる。
【００２１】
構成５のファクシミリ装置は、構成１に於いて、設定取得部が取得する送信サイズは入力装置からのユーザ入力で指示されたサイズであるため、ユーザが原稿の状態を視認した上で適宜に設定した送信サイズで送信でき、送信先装置での出力画像が判読困難となる恐れを十分に低減できる。
【００２２】
構成６のファクシミリ装置は、構成１に於いて、分割原稿サイズと送信サイズと拡大倍率を対応付けて保持する倍率テーブルを更に有し、倍率演算部は当該の分割原稿サイズと当該の送信サイズに対応付けられている拡大倍率を前記倍率テーブルから求めるため、拡大倍率を求める処理が簡易である。
【００２３】
構成７のファクシミリ装置は、構成１に於いて、倍率演算部は当該の送信サイズを当該の分割原稿サイズで除算することにより拡大倍率を求めるため、分割原稿サイズが非定型の場合にも送信サイズを求めることができる。
【発明を実施するための最良の形態】
【００２４】
図１（ａ）は本発明の一実施形態によるファクシミリ装置の概略的ブロック図、（ｂ）は原稿画像と送信画像の関係を示す説明図、図２はデータ処理手順を示すフローチャート、図３（ａ）は分割テーブル図、（ｂ）は倍率テーブル図である。
【００２５】
操作パネル（不図示）からユーザにより操作入力された設定値は、入力部１０から入力されて、記憶部１２のメモリ（ＲＡＭ）に保持される。
【００２６】
記憶部１２に保持される設定値としては、図２内右上欄に示すように、分割態様（非分割／２分割／４分割）、原稿サイズ（Ａ３／Ｂ４／Ａ４／Ｂ５）、送信サイズ（Ａ４／Ｂ４／Ｂ５）、送信相手先装置の電話番号がある。なお、分割態様と原稿サイズと送信サイズの各括弧内は本装置の場合の例であり、これら以外を設定可能としてもよい。
【００２７】
分割態様と送信サイズと送信相手先装置の電話番号は、操作パネルからユーザによって入力される。分割態様が入力されなかった場合は、非分割として処理される。また、分割態様は入力されたが送信サイズは入力されなかった場合は、デフォルトのＡ４が送信サイズとして設定される。
【００２８】
原稿サイズは、図１（ａ）の例では操作パネルからユーザによって入力されるが、スキャナ（不図示）での原稿走査に基づいて取得される構成でもよい。
【００２９】
スキャナ（不図示）による原稿走査により生成された画像信号から、読取部２１で周知の画像処理により画像データが生成されて、変換部２２へ送られる。変換部２２では、図２のステップＳ０１〜Ｓ０９の処理が実行され、これにより、読取部２１から入力される画像データの分割と拡大が行なわれる。なお、変換部２２はプログラム制御プロセッサ上でプログラムを実行することにより、同様の画像データの分割および拡大機能を実現することも可能である。
【００３０】
図２において、まず記憶部１１に保持されている設定値を取得する（Ｓ０１）。
【００３１】
取得した設定値の分割態様が「非分割」の場合は（Ｓ０３でＮＯ）、ステップＳ０９へ進む。ステップＳ０９では、読取部２１から送られて来た画像データを、分割態様（この場合は「非分割」）に従って分割等し（この場合は分割しない）、拡大倍率に従って拡大等する（この場合は拡大しない）。
【００３２】
ステップＳ０１で取得した設定値の分割態様が「２分割」又は「４分割」の場合、つまり、原稿が「２イン１複写された画像」又は「４イン１複写された画像」の場合は（Ｓ０３でＹＥＳ）、ステップＳ０５に進む。
【００３３】
ステップＳ０５では、原稿サイズと分割態様とに基づいて、分割テーブル（図３）を参照して、分割後の原稿サイズ（分割原稿サイズ）を求める。例えば、原稿サイズがＡ３で２分割が設定されている場合には、分割原稿サイズはＡ４となる。また、原稿サイズがＡ４で４分割が設定されている場合には、分割原稿サイズはＡ６となる。なお、分割テーブル（及び倍率テーブル）は、本装置がハードディスク等（不図示）に保持している値をメモリ上に読み出しているものとする。
【００３４】
分割原稿サイズが求まると、次に、ステップＳ０７に進む。
【００３５】
ステップＳ０７では、ステップＳ０５で求めた分割原稿サイズと、ステップＳ０１で取得した送信サイズとに基づいて、倍率テーブル（図３）を参照して、分割原稿の拡大倍率を求める。例えば、分割原稿サイズがＡ４で送信サイズがＡ４の場合、拡大倍率は１となる。また、分割原稿サイズがＡ６で送信サイズがＡ４の場合、拡大倍率は２となる。
【００３６】
拡大倍率が求まると（Ｓ０７）、次に、ステップＳ０９へ進む。
【００３７】
ステップＳ０９では、読取部２１から送られて来た画像データを、分割態様に従って分割等し、拡大倍率に従って拡大等する。
【００３８】
例えば、原稿サイズがＡ３で２分割が設定されていた場合は、２分割してＡ４サイズとした分割原稿の各々を、拡大倍率１で拡大する（＝そのままとする）。また、原稿サイズがＡ４で４分割が設定されていた場合（＝４イン１複写された原稿の場合）は、４分割してＡ６サイズとした分割原稿の各々を、拡大倍率２で拡大する。
【００３９】
こうして、設定に従って分割され（又は分割されず）、設定に従って求められた倍率で拡大された（又は拡大されなかった）画像データは、次に、送信相手先装置の電話番号に対応付けて送信データ一時記憶部２３に記憶された後、適時に読み出されて送信部２４へ送られ、モデム２５から、送信相手先装置へ宛てて通信回線網へ送出される。
【００４０】
以上のように、送信すべき画像の分割と拡大、送信が行なわれる。
【００４１】
上記では、ファクシミリ装置について延べているが、ファクシミリ機能に加えて、プリンタ、スキャナ、コピー機能等を備えた複合機であってもよい。
【００４２】
上記では、送信サイズがユーザ入力されない場合にデフォルトのＡ４サイズを送信サイズとしているが、送信サイズをユーザ入力する機能を省いて、直ちにＡ４サイズを送信サイズとするように構成することもできる。
【００４３】
上記では、分割テーブルと倍率テーブルを参照するように構成しているが、演算で分割原稿サイズを求め、及び／又は、演算で倍率を求める構成も可能である。
【図面の簡単な説明】
【００４４】
【図１】（ａ）は実施の形態のファクシミリ装置のデータの流れを示すブロック図、（ｂ）は原稿画像と送信画像の関係を示す説明図。
【図２】実施の形態のファクシミリ装置のデータ処理手順を示すフローチャート。
【図３】図２の手順で参照するテーブル図であり、（ａ）は分割テーブル、（ｂ）は倍率テーブルを示す。
【符号の説明】
【００４５】
１０  入力部
１１  記憶部（分割態様・原稿サイズ・送信サイズ・送信先の記憶部）
２１  読取部
２２  変換部（送信画像の分割・拡大部）
２３  送信データ一時記憶部
２４  送信部
２５  モデム
【図１】
2007267306.tif 000003
【図２】
2007267306.tif 000004
【図３】
2007267306.tif 000005